(57)【要約】【課題】複数の投影装置を用いて画像を投影している状態における演出効果の品質を向上させる。【解決手段】第１投影画像Ａを第１プロジェクタ１００ａに投影させ、重畳対象領域Ｒにおいて第１投影画像Ａに重ねて第２投影画像Ｂを第２プロジェクタ１００ｂに投影させる投影制御装置２００は、第１投影画像Ａを第１プロジェクタ１００ａに提供し、かつ第２投影画像Ｂを第２プロジェクタ１００ｂに提供する映像出力部２０７と、第１プロジェクタ１００ａに、第１投影画像Ａの一端から他端に向けて投影対象領域の端部が移動するように第１投影画像Ａを投影させ、第１プロジェクタ１００ａが第１投影画像Ａを重畳対象領域Ｒまで投影した時点で、第２プロジェクタ１００ｂに第２投影画像Ｂの投影を開始させる投影制御部２１２と、を有することを特徴とする。【選択図】図７
2019090857.tif 000002
【特許請求の範囲】
【請求項１】
第１投影画像を第１投影装置に投影させ、重畳対象領域において前記第１投影画像に重ねて第２投影画像を第２投影装置に投影させる投影制御装置であって、
前記第１投影画像を前記第１投影装置に提供し、かつ前記第２投影画像を前記第２投影装置に提供する画像提供手段と、
前記第１投影装置に、前記第１投影画像の一端から他端に向けて投影対象領域の端部が移動するように前記第１投影画像を投影させ、前記第１投影装置が前記第１投影画像を前記重畳対象領域まで投影した時点で、前記第２投影装置に前記第２投影画像の投影を開始させる投影制御手段と、
を有することを特徴とする投影制御装置。
【請求項２】
前記重畳対象領域の位置を示す重畳位置情報を取得する情報取得手段をさらに有し、
前記投影制御手段は、前記第１投影画像における前記投影対象領域の端部の位置が、前記第１投影画像における前記重畳位置情報が示す前記重畳対象領域の端部に達した時点で、前記第２投影装置に前記第２投影画像の投影を開始させることを特徴とする、
請求項１に記載の投影制御装置。
【請求項３】
前記情報取得手段は、前記第１投影画像を投影する第１領域と前記第２投影画像を投影する第２領域との間の位置関係を示す関係情報を取得し、
前記投影制御手段は、前記関係情報が示す位置関係と、前記投影対象領域の端部を移動させる方向である移動方向との関係に基づいて、前記第２投影装置に前記第２投影画像の投影を開始させるタイミングを制御することを特徴とする、
請求項２に記載の投影制御装置。
【請求項４】
前記情報取得手段は、前記移動方向を指定する移動方向情報を取得し、
前記投影制御手段は、前記位置関係と前記移動方向情報が示す前記移動方向との関係に基づいて、前記タイミングを制御することを特徴とする、
請求項３に記載の投影制御装置。
【請求項５】
前記投影制御手段は、前記第１領域と前記第２領域とが並ぶ方向と前記移動方向とが直交する場合に、前記第１投影装置が前記第１投影画像の投影を開始するタイミングで前記第２投影装置に前記第２投影画像の投影を開始させ、前記第１領域と前記第２領域とが並ぶ方向と前記移動方向とが一致する場合に、前記第１投影装置が前記第１投影画像を前記重畳対象領域まで投影した時点で、前記第２投影装置に前記第２投影画像の投影を開始させることを特徴とする、
請求項３又は４に記載の投影制御装置。
【請求項６】
前記情報取得手段は、前記第１投影画像及び前記第２投影画像を切り替える際の効果の種別を示す種別情報を取得し、
前記投影制御手段は、前記種別情報が示す前記効果の種別に基づいて、前記第２投影装置に前記第２投影画像の投影を開始させるタイミングを制御することを特徴とする、
請求項２から５のいずれか一項に記載の投影制御装置。
【請求項７】
前記投影制御手段は、前記第１投影装置に対して、前記第１投影画像の投影を開始する第１時刻を通知し、前記第２投影装置に対して、前記第２投影画像の投影を開始する第２時刻を通知することを特徴とする、
請求項１から６のいずれか一項に記載の投影制御装置。
【請求項８】
前記投影制御手段は、前記第１時刻とともに、前記投影対象領域の端部を移動させる速度を前記第１投影装置に通知し、前記第２時刻とともに前記速度を前記第２投影装置に通知することを特徴とする、
請求項７に記載の投影制御装置。
【請求項９】
第１投影画像を投影する投影手段と、
重畳対象領域において前記第１投影画像に対応する第２投影画像を他の投影装置に送信する通信手段と、
前記投影手段に、前記第１投影画像の一端から他端に向けて投影対象領域の端部を移動しながら前記第１投影画像を投影させ、前記投影手段が前記第１投影画像を前記重畳対象領域まで投影した時点で、前記他の投影装置に前記第２投影画像の投影を開始させる投影制御手段と、
を有することを特徴とする投影装置。
【請求項１０】
コンピュータが実行する、第１投影画像を第１投影装置に投影させ、重畳対象領域において前記第１投影画像に重ねて第２投影画像を第２投影装置に投影させる投影制御方法であって、
前記第１投影画像を前記第１投影装置に提供するステップと、
前記第２投影画像を前記第２投影装置に提供するステップと、
前記第１投影装置に、前記第１投影画像の一端から他端に向けて投影対象領域の端部が移動するように前記第１投影画像を投影させるステップと、
前記第１投影装置が前記第１投影画像を前記重畳対象領域まで投影した時点で、前記第２投影装置に前記第２投影画像の投影を開始させるステップと、
を有することを特徴とする投影制御方法。
【請求項１１】
第１投影画像を第１投影装置に投影させ、重畳対象領域において前記第１投影画像に重ねて第２投影画像を第２投影装置に投影させるコンピュータを、
前記第１投影画像を前記第１投影装置に提供し、かつ前記第２投影画像を前記第２投影装置に提供する画像提供手段、及び
前記第１投影装置に、前記第１投影画像の一端から他端に向けて投影対象領域の端部が移動するように前記第１投影画像を投影させ、前記第１投影装置が前記第１投影画像を前記重畳対象領域まで投影した時点で、前記第２投影装置に前記第２投影画像の投影を開始させる投影制御手段、
として機能させることを特徴とするプログラム。
【発明の詳細な説明】
【技術分野】
【０００１】
本発明は、投影制御装置、投影装置及び投影制御方法に関する。
【背景技術】
【０００２】
複数の表示装置が連動して一つの表示画像を投影する方法が知られている。特許文献１には、複数の表示装置から構成される多画面表示装置において、１台目の表示装置から２台目の表示装置に向かって画像を切り替える演出効果の一つとしてワイプ処理を行う技術が開示されている。特許文献１に記載された技術では、１台目の表示装置におけるワイプ処理が終了した後に２台目の表示装置におけるワイプ処理を開始することにより、１台目の表示装置から２台目の表示装置に向かってワイプ処理を行う。
【先行技術文献】
【特許文献】
【０００３】
【特許文献１】特開平０６−４０５１号公報
【発明の概要】
【発明が解決しようとする課題】
【０００４】
画像を投影面に投影する投影装置を複数用いて大画面を表示させる場合、複数の投影装置が投影する画像の境界が目立たないように、それぞれの投影装置が投影する画像を重畳するエッジブレンド処理が施される。このような複数の投影装置に特許文献１に記載された技術を用いると、エッジブレンドが行われた重畳対象領域において、１台目の投影装置と２台目の投影装置とが、それぞれ異なる画像を投影してしまうという問題が生じていた。また、複数の投影装置が同時にワイプ処理を開始した場合にも、重畳対象領域において、１台目の投影装置と２台目の投影装置とが、それぞれ異なる画像を投影してしまうという問題が生じていた。
【０００５】
そこで、本発明はこれらの点に鑑みてなされたものであり、複数の投影装置を用いて画像を投影している状態における演出効果の品質を向上させることができる投影制御装置、投影装置及び投影制御方法を提供することを目的とする。
【課題を解決するための手段】
【０００６】
本発明の第１の態様における投影制御装置は、第１投影画像を第１投影装置に投影させ、重畳対象領域において前記第１投影画像に重ねて第２投影画像を第２投影装置に投影させる投影制御装置であって、前記第１投影画像を前記第１投影装置に提供し、かつ前記第２投影画像を前記第２投影装置に提供する画像提供手段と、前記第１投影装置に、前記第１投影画像の一端から他端に向けて投影対象領域の端部が移動するように前記第１投影画像を投影させ、前記第１投影装置が前記第１投影画像を前記重畳対象領域まで投影した時点で、前記第２投影装置に前記第２投影画像の投影を開始させる投影制御手段と、を有することを特徴とする。
【０００７】
本発明の第２の態様における投影装置は、第１投影画像を投影する投影手段と、重畳対象領域において前記第１投影画像に対応する第２投影画像を他の投影装置に送信する通信手段と、前記投影手段に、前記第１投影画像の一端から他端に向けて投影対象領域の端部を移動しながら前記第１投影画像を投影させ、前記投影手段が前記第１投影画像を前記重畳対象領域まで投影した時点で、前記他の投影装置に前記第２投影画像の投影を開始させる投影制御手段と、を有することを特徴とする。
【０００８】
本発明の第３の態様における投影制御方法は、コンピュータが実行する、第１投影画像を第１投影装置に投影させ、重畳対象領域において前記第１投影画像に重ねて第２投影画像を第２投影装置に投影させる投影制御方法であって、前記第１投影画像を前記第１投影装置に提供するステップと、前記第２投影画像を前記第２投影装置に提供するステップと、前記第１投影装置に、前記第１投影画像の一端から他端に向けて投影対象領域の端部が移動するように前記第１投影画像を投影させるステップと、前記第１投影装置が前記第１投影画像を前記重畳対象領域まで投影した時点で、前記第２投影装置に前記第２投影画像の投影を開始させるステップと、を有することを特徴とする。
【０００９】
本発明の第４の態様におけるプログラムは、第１投影画像を第１投影装置に投影させ、重畳対象領域において前記第１投影画像に重ねて第２投影画像を第２投影装置に投影させるコンピュータを、前記第１投影画像を前記第１投影装置に提供し、かつ前記第２投影画像を前記第２投影装置に提供する画像提供手段、及び前記第１投影装置に、前記第１投影画像の一端から他端に向けて投影対象領域の端部が移動するように前記第１投影画像を投影させ、前記第１投影装置が前記第１投影画像を前記重畳対象領域まで投影した時点で、前記第２投影装置に前記第２投影画像の投影を開始させる投影制御手段、として機能させることを特徴とする。
【発明の効果】
【００１０】
本発明によれば、複数の投影装置を用いて画像を投影している状態における演出効果の品質を向上させることができるという効果を奏する。
【図面の簡単な説明】
【００１１】
【図１】実施形態に係る投影制御システムの概要を説明するための図である。
【図２】ワイプについて説明するための図である。
【図３】従来技術を用いたマルチ投影時にワイプ処理を実行した場合について説明するための図である。
【図４】本実施形態に係る投影制御装置がマルチ投影時にワイプ処理を実行した場合について説明するための図である。
【図５】プロジェクタの機能構成を示す図である。
【図６】プロジェクタの画像処理部の機能構成を示す図である。
【図７】重畳対象領域における減光処理を説明するための図である。
【図８】投影制御装置の機能構成を示す図である。
【図９】ワイプを開始する開始タイミングについて説明するための図である。
【図１０】投影画像の投影を開始する開始タイミングを示すタイムラインを模式的に示す図である。
【図１１】グルーピング処理のシーケンス図である。
【図１２】グルーピング設定画面を模式的に示す図である。
【図１３】配置パターン設定画面を模式的に示す図である。
【図１４】投影スケジュールを表示するタイムテーブル画面を模式的に示す図である。
【図１５】タイムテーブル画面のタイムスケールを拡大した状態を示す図である。
【図１６】曜日毎に表示するタイムテーブル画面を模式的に示す図である。
【図１７】スケジュール登録処理のフローチャートである。
【図１８】スケジュールを登録するための画面について説明するための図である。
【図１９】スケジュールを登録するための画面について説明するための図である。
【発明を実施するための形態】
【００１２】
＜第１の実施形態＞
［投影制御システムＳの概要］
図１は、実施形態に係る投影制御システムＳの概要を説明するための図である。投影制御システムＳは、画像データ又は動画データなどのコンテンツを投影する。なお、以下の説明においては、投影制御システムＳが、コンテンツとして画像データを用いる場合について説明する。
【００１３】
投影制御システムＳは、第１プロジェクタ１００ａと、第２プロジェクタ１００ｂと、投影制御装置２００とを備える。プロジェクタ１００は、スクリーンに画像を投影する投影装置である。投影制御装置２００は、第１プロジェクタ１００ａ及び第２プロジェクタ１００ｂを制御して、これらに画像を投影させる装置であり、例えばコンピュータである。投影制御装置２００は、第１投影画像Ａを第１プロジェクタ１００ａに投影させ、重畳対象領域Ｒにおいて第１投影画像Ａに重ねて第２投影画像Ｂを第２プロジェクタ１００ｂに投影させる。第１投影画像Ａ及び第２投影画像Ｂは、投影する対象となる投影画像（以下、コンテンツという場合がある）の一部を切り出した部分投影画像である。このようにすることで、投影制御装置２００は、複数のプロジェクタ１００を連動させて、一つの投影画像をスクリーン上に投影させることができる。
【００１４】
以下の説明において、画像の一部の重畳対象領域Ｒにおいて重ねて投影することにより一つの投影画像をスクリーン上に投影することをマルチ投影という。本実施形態においては、説明を簡単にするために、横に並べられた２台のプロジェクタ１００を用いてマルチ用コンテンツを投影する場合について説明するが、プロジェクタの台数及び配置はこれに限定されるものではない。
【００１５】
第１プロジェクタ１００ａと、第２プロジェクタ１００ｂと、投影制御装置２００とは、ネットワークＮを介して相互に通信可能な状態で接続されている。ネットワークは、例えばＬＡＮ（Local Area Network）である。第１プロジェクタ１００ａと、第２プロジェクタ１００ｂと、投影制御装置２００とは、相互に通信可能な状態で接続していればネットワークの形式は問わず、ネットワークは無線ＬＡＮであっても、有線ＬＡＮであってもよい。
【００１６】
投影制御装置２００は、第１プロジェクタ１００ａ及び第２プロジェクタ１００ｂに投影している画像を他の画像に切り替える際に、切り替え後の画像を一方の端部からもう一方の端部へ順次表示させながら、画像を切り替える。このように画像を切り替えることを「ワイプ」という。図２は、ワイプについて説明するための図である。図２においては、投影制御装置２００が第１プロジェクタ１００ａのみに画像を投影させることを想定している。図２におけるスクリーン３００は、プロジェクタ１００が画像を投影する投影面である。
【００１７】
図２における投影領域４０１は、第１プロジェクタ１００ａが投影画像を投影する領域である。図２（ａ）及び図２（ｅ）は、ワイプさせる前の時刻Ｔ０における画面の状態を示す。図２（ｂ）及び図２（ｆ）は、ワイプ中の時刻Ｔｉにおける画面の状態を示し、図２（ｃ）及び図２（ｇ）は、ワイプ中の時刻Ｔｉ＋１における画面の状態を示す。図２（ｄ）及び図２（ｈ）は、ワイプにより画像が切り替わった後の時刻Ｔｎにおける画面の状態を示す。
【００１８】
図２（ａ）から（ｄ）は、第１プロジェクタ１００ａが、投影画像を投影していない状態から、投影画像の左端から右端に向けて、点線で示す投影対象領域の端部が移動するように投影させる動作を模式的に示す図である。図２（ｅ）から（ｈ）は、第１プロジェクタ１００ａが、投影画像を投影している状態から、投影している投影画像と異なる投影画像に切り替えるときに、投影画像の左端から右端に向けて、点線で示す投影対象領域の端部が移動するように投影させる動作を模式的に示す図である。
【００１９】
次に、従来技術を用いたマルチ投影時におけるワイプについて説明する。図３は、従来技術を用いたマルチ投影時にワイプを実行した場合について説明するための図である。図３において、非重畳対象領域６０１は１台目のプロジェクタが投影する非重畳対象領域を示し、非重畳対象領域６０２は２台目のプロジェクタが投影する非重畳対象領域を示す。重畳対象領域６０３は、１台目のプロジェクタと２台目のプロジェクタとが投影する重畳対象領域である。重畳対象領域６０３においては、各プロジェクタが投影画像に対してエッジブレンドという減光処理を実行することで、非重畳対象領域６０１における画像の輝度を、非重畳対象領域６０１及び非重畳対象領域６０２における画像の輝度と一致するように調整する。
【００２０】
図３（ａ）は、ワイプさせる前の時刻Ｔ０における画像の状態を示す。図３（ｂ）は、ワイプ中の時刻Ｔｉにおける画像の状態を示し、図３（ｃ）は、ワイプ中の時刻Ｔｉ＋１における画像の状態を示す。図３（ｄ）は、ワイプにより画像が切り替わった後の時刻Ｔｎにおける画像の状態を示す。投影制御装置２００は、第１プロジェクタ１００ａと第２プロジェクタ１００ｂとに、点線で示す投影対象領域の端部が移動するように投影画像を投影させる。ここでは、ワイプ実行前の画像を画像Ａ、ワイプ実行後の画像を画像Ｂとして説明する。
【００２１】
図３（ｂ）において、投影画像の各部分領域ごとに投影されている画像は、投影面の左から、画像Ｂ（領域６０１ａ）、画像Ａ（領域６０１ｂ）、画像Ａと画像Ｂとが混在した画像（領域６０３ａ）、画像Ａ（領域６０３ｂ）、画像Ａ（領域６０２）である。領域６０１ａは、１台目のプロジェクタが画像Ｂの一部を投影する領域であり、領域６０１ｂは１台目のプロジェクタが画像Ａの一部を投影する領域である。領域６０３ａは、１台目のプロジェクタが投影する画像Ａの一部と、２台目のプロジェクタが投影する画像Ｂの一部とが混在する領域である。領域６０３ｂと非重畳対象領域６０２とは、２台目のプロジェクタが画像Ａの一部を投影する領域である。
【００２２】
図３（ｃ）において、投影画像の各部分領域ごとに表示されている画像は、投影面の左から、画像Ｂ（領域６０１ｃ）、画像Ａ（領域６０１ｄ）、画像Ａと画像Ｂとが混在した画像（領域６０３）、画像Ｂ（領域６０２ａ）、画像Ａ（領域６０２ｂ）である。領域６０１ｃは、１台目のプロジェクタが画像Ｂの一部を投影する領域であり、領域６０１ｄは１台目のプロジェクタが画像Ａの一部を投影する領域である。重畳対象領域６０３は、１台目のプロジェクタが投影する画像Ａの一部と、２台目のプロジェクタが投影する画像Ｂの一部とが混在する領域である。領域６０２ａと領域６０２ｂとは、２台目のプロジェクタが画像Ｂの一部を投影する領域である。
【００２３】
このように、複数のプロジェクタのそれぞれが同時刻にワイプを開始すると、重畳対象領域の一部の領域において、ワイプ実行前の画像Ａとワイプ実行後の画像Ｂとの２つの画像が混在する投影画像が投影される。その結果、複数のプロジェクタを用いた場合に重畳対象領域Ｒにおいて滑らかに画面切り替わり効果を行うことができず、各プロジェクタが連動して投影した一つの投影画像の繋ぎ目が、投影画像を視聴する視聴者に認識されてしまう。そこで、本実施形態に係る投影制御装置２００は、第１プロジェクタ１００ａが投影する第１投影画像Ａの一端から他端に向けて投影対象領域の端部が移動するように投影させるとき、第１プロジェクタ１００ａが画像Ｂを重畳対象領域Ｒまで投影した時点で、第２プロジェクタ１００ｂに画像Ｂの投影を開始させる。
【００２４】
図４は、本実施形態に係る投影制御装置２００がマルチ投影時にワイプを実行した場合について説明するための図である。図４において、非重畳対象領域７０１は第１プロジェクタ１００ａが投影する非重畳対象領域であり、非重畳対象領域７０２は第２プロジェクタ１００ｂが投影する非重畳対象領域である。重畳対象領域７０３は第１プロジェクタ１００ａと第２プロジェクタ１００ｂとが投影する重畳対象領域Ｒである。実線で示す端部Ｅは、重畳対象領域Ｒの左端を示す。
【００２５】
図４（ａ）は、ワイプさせる前の時刻Ｔ０における画面の状態を示す。図４（ｂ）は、ワイプ中の時刻Ｔｉにおける画面の状態を示し、図４（ｃ）は、ワイプ中の時刻Ｔｉ＋１における画面の状態を示す。図４（ｄ）は、ワイプにより画像が切り替わった後の時刻Ｔｎにおける画面の状態を示す。投影制御装置２００は、図４に示すように、第１プロジェクタ１００ａと第２プロジェクタ１００ｂとに対して、点線で示す投影対象領域の端部が移動するように投影画像を投影させる。
【００２６】
投影制御装置２００は、画像Ｂの投影対象領域の右端が重畳対象領域Ｒに到達した時点で、第２プロジェクタ１００ｂに、第２投影画像Ｂの左端から右端に向けて投影対象領域の端部が移動するように画像Ｂの投影を開始させる。このようにすることで、投影制御装置２００は、重畳対象領域Ｒにおいて画像の継ぎ目を認識させないよう投影させることができるので、演出効果の品質を向上させることができる。
【００２７】
［プロジェクタ１００の機能構成］
図５は、プロジェクタ１００の機能構成を示す図である。プロジェクタ１００は、ＣＰＵ（Central Processing Unit）１０１と、ＲＡＭ（Random Access Memory）１０２と、ＲＯＭ（Read Only Memory）１０３と、投影部１０４と、投影制御部１０５と、ＶＲＡＭ１０６と、操作部１０７と、ネットワークＩＦ（Interface）１０８と、コンテンツ保持部１１０と、時刻管理部１１１と、映像入力部１１２と、画像処理部１２０とを有する。なお、バス１１３は、上記の各動作ブロックを接続する内部バスを示す。
【００２８】
ＲＡＭ１０２は、ワークメモリとして一時的に制御プログラムやデータを記憶する。ＲＯＭ１０３は、ＣＰＵ１０１が実行するプログラムを記憶する。ＣＰＵ１０１は、ＲＯＭ１０３に記憶されたプログラムを用いてプロジェクタ１００の各動作ブロックを制御する。
【００２９】
投影部１０４は、後述する投影制御部１０５によって指示された画像を投影する投影手段である。投影部１０４は、少なくとも液晶パネルと、レンズと、光源とを有する。光源は、スクリーンに画像を投影するための光を発する発光手段である。光源は、例えば、ハロゲンランプ、キセノンランプ、高圧水銀ランプ、又はレーザ光源である。
【００３０】
ＶＲＡＭ（Video Random Access Memory）１０６は、投影部１０４が投影する画像を記憶する。投影制御部１０５は、ＶＲＡＭ１０６に記憶された画像を投影部１０４に投影させる。なお、投影制御部１０５は、専用のマイクロプロセッサである必要はなく、ＣＰＵ１０１が、ＲＯＭ１０３に記憶されたプログラムを実行することにより、投影制御部１０５として機能してもよい。
【００３１】
操作部１０７は、ユーザの指示を受け付け、受け付けた指示の内容を示す指示信号をＣＰＵ１０１に通知する。操作部１０７は、例えば、スイッチ、ダイヤル、タッチパネル、又はリモコンからの信号を受信する信号受信部を含む。操作部１０７は、受信した信号に基づいた指示信号をＣＰＵ１０１に通知する。
【００３２】
ネットワークＩＦ１０８は、外部機器とネットワークを介して通信する通信手段である。本実施形態においては、プロジェクタ１００は、ネットワークＩＦ１０８を介して他のプロジェクタ１００と投影制御装置２００と接続されている。
【００３３】
コンテンツ保持部１１０は、コンテンツを保持するストレージである。コンテンツ保持部１１０は、例えば、フラッシュメモリであり、具体的にはＵＳＢ（Universal Serial Bus）メモリ、又はメモリカードである。なお、コンテンツ保持部１１０は、フラッシュメモリに限らず、内部デバイス、その他の外部デバイスであってもよい。
【００３４】
時刻管理部１１１は、プロジェクタ１００の時刻を管理する。時刻管理部１１１は、システムクロック、又はハードウェアクロックである。また、時刻管理部１１１は、ネットワークＩＦ１０８を介して外部のＮＴＰサーバから時刻を取得してもよく、操作部１０７を介してユーザが入力した時刻を取得してもよい。
【００３５】
映像入力部１１２は、外部装置から画像又は映像を取得する取得手段である。映像入力部１１２は、例えば、コンポジット端子、Ｓ映像端子、Ｄ端子、コンポーネント端子、アナログＲＧＢ端子、ＤＶＩ−Ｉ端子、ＨＤＭＩ（High-Definition Multimedia Interface）（登録商標）端子を含む。また、映像入力部１１２は、アナログ映像信号を受信した場合、受信したアナログ映像信号をデジタル映像信号に変換してもよい。映像入力部１１２は、取得した画像を画像処理部１２０に通知する。なお、本実施形態において、外部装置は投影制御装置２００を想定しているが、これに限らず、外部装置は、画像を出力できるものであれば、パーソナルコンピュータ、カメラ、携帯電話、スマートフォン、ハードディスクレコーダ、ゲーム機などであってもよい。
【００３６】
画像処理部１２０は、映像入力部１１２から受信した入力画像に対し、例えばフレーム数、画素数、又は画像形状の変更処理を実行する。具体的には、画像処理部１２０は、フレーム間引き処理、フレーム補間処理、解像度変換（スケーリング）処理、歪み補正処理（キーストン補正処理）を実行する。また、画像処理部１２０は、ＣＰＵ１０１が再生した画像又は映像に対して前述の変更処理を実行する。画像処理部１２０は、変更処理した入力画像を投影制御部１０５に通知する。
【００３７】
続いて、プロジェクタ１００の画像処理部１２０について詳しく説明する。図６は、プロジェクタ１００の画像処理部１２０の機能構成を示す図である。画像処理部１２０は、各種画像処理部１２１、ＯＳＤ重畳部１２２、減光処理部１２３、及び変形処理部１２４を有する。
【００３８】
元画像信号ｓｉｇ０１は、映像入力部１１２、又はコンテンツ保持部１１０から入力される画像信号である。タイミング信号ｓｉｇ０２は、元画像信号ｓｉｇ０１に同期した垂直同期信号、水平同期信号、及びクロックなどのタイミング信号である。タイミング信号ｓｉｇ０２は、元画像信号ｓｉｇ０１を入力した入力元から入力される。
【００３９】
画像処理部１２０の各機能構成部は、タイミング信号ｓｉｇ０２を基準として動作する。なお、画像処理部１２０の内部でタイミング信号を生成してもよく、画像処理部１２０の各機能構成部は、画像処理部１２０の内部で生成したタイミング信号を基準として動作してもよい。
【００４０】
各種画像処理部１２１は、ＣＰＵ１０１と連携して、元画像信号ｓｉｇ０１の入力を受け、各種画像処理を実行する。例えば、各種画像処理部１２１は、画面切り替わり効果であるワイプを実現するための画像処理を実行する。各種画像処理部１２１は、画面切り替わり効果を実現するために、タイミング信号ｓｉｇ０２、又は生成されたタイミング信号に応じて、元画像信号ｓｉｇ０１に含まれる画像に対して画像処理を実行する。具体的には、各種画像処理部１２１は、元画像信号ｓｉｇ０１に含まれる画像の特定の領域の輝度を０にする。各種画像処理部１２１は、例えば、時間の経過とともに特定の領域を変化させることにより、ワイプによる画面切り替わり効果を実行する。
【００４１】
ここで、各種画像処理部１２１の画像処理について、図２（ａ）から（ｄ）を参照しながら説明する。まず、各種画像処理部１２１は、時刻Ｔ０において、元画像信号ｓｉｇ０１に含まれる画像の全領域の輝度を０にする。次に、各種画像処理部１２１は、時刻Ｔｉにおいて、画像の左端から投影対象領域の端部までの領域の輝度を元画像信号ｓｉｇ０１に含まれる画像の輝度とし、投影対象領域の端部から画像の右端までの特定領域の輝度を０にする。
【００４２】
さらに、各種画像処理部１２１は、時刻Ｔｉ＋１において、画像の左端から投影対象領域の端部までの領域の輝度を元画像信号ｓｉｇ０１に含まれる画像の輝度とし、投影対象領域の端部から画像の右端までの領域の輝度を０にする。各種画像処理部１２１は、輝度が０の領域と輝度が０でない領域との境界を時刻Ｔｉが経過するごとに右側に移動させる。そして、各種画像処理部１２１は、時刻Ｔｎにおいて、全領域の輝度を、元画像信号ｓｉｇ０１に含まれる画像の輝度とする。このようにすることで、各種画像処理部１２１は、画像を左端（一方の端部）から右端（もう一方の端部）に順次表示させていく切り替わり効果を実現できる。
【００４３】
なお、各種画像処理部１２１は、画面切り替わり効果のパラメータを、バス１１３を介してＣＰＵ１０１から取得する。パラメータは、切り替わり効果の種別を示す種別情報と、画面切り替わり効果の実行時間を示す実行時間情報とを含む。種別情報は、例えば、ワイプ、又は投影画像の輝度が順次大きくなるように画像を投影する切り替わり効果であるフェードインである。実行時間情報は、切り替わり効果を開始して終了するまでにかかる処理時間である。
【００４４】
各種画像処理部１２１は、元画像信号ｓｉｇ０１に含まれる画像の特定領域の輝度を０にするだけでなく、元画像信号ｓｉｇ０１に含まれる画像の特定領域に、元画像信号ｓｉｇ０１に含まれる画像と異なる画像の同一領域を重畳してもよい。例えば、各種画像処理部１２１は、時刻Ｔｉにおいて、画像の左端から投影対象領域の端部までの領域の輝度を元画像信号ｓｉｇ０１に含まれる画像（切り替わり効果実行後の画像）を表示する。各種画像処理部１２１は、投影対象領域の端部から画像の右端までの特定領域に元画像信号ｓｉｇ０１に含まれる画像と異なる画像（切り替わり効果実行前の画像）を重畳する。
【００４５】
各種画像処理部１２１は、例えば、画像信号のヒストグラム、ＡＰＬなど統計情報を取得してもよい。また、各種画像処理部１２１は既知の画像処理を行うことができる。詳細は割愛するが、各種画像処理部１２１が行う画像処理は、例えば、ＩＰ変換、フレームレート変換、解像度変換、γ変換、色域変換、色補正、エッジ強調である。各種画像処理部１２１は、元画像信号ｓｉｇ０１に上記画像処理を行うことにより生成した画像処理信号ｓｉｇ０３をＯＳＤ重畳部１２２に通知する。
【００４６】
ＯＳＤ（On Screen Display）重畳部１２２は、ＣＰＵ１０１の指示に基づいて、ユーザ用のメニューや操作のためのガイド情報を生成する。ＯＳＤ重畳部１２２は、ガイド情報をＯＳＤ画像として画像処理信号ｓｉｇ０３に重畳することにより生成したＯＳＤ重畳信号ｓｉｇ０４を減光処理部１２３に通知する。
【００４７】
減光処理部１２３は、ＣＰＵ１０１の指示に基づいて、ＯＳＤ重畳部１２２から受信したＯＳＤ重畳信号ｓｉｇ０４を重畳対象領域Ｒにおける画像の輝度を減光処理する。図７は、重畳対象領域Ｒにおける減光処理を説明するための図である。図７（ａ）は、第１プロジェクタ１００ａが投影する第１投影画像Ａを示す図である。第１投影画像Ａは、非重畳対象領域ＡＬと、ｅｂｗｉｄの幅を持つ重畳対象領域ＡＲとを有する。図７（ｂ）は、第２プロジェクタ１００ｂが投影する第２投影画像Ｂを示す図である。第２投影画像Ｂは、非重畳対象領域ＢＬと、ｅｂｗｉｄの幅を持つ重畳対象領域ＢＲとを有する。重畳対象領域の幅ｅｂｗｉｄは、ユーザが設定しても、投影制御装置２００がｅｂｗｉｄの値を取得してもよい。
【００４８】
図７（ｃ）における横軸は投影領域の横方向の位置を表し、縦軸は投影領域の横方向の位置における画像のゲインを表す。図７（ｃ）の一点鎖線は、第１プロジェクタ１００ａが投影する第１投影画像Ａにおけるゲイン５３０ａを示している。非重畳対象領域ＡＬにおいて、ゲイン５３０ａは１００％である。一方、重畳対象領域ＡＲにおいて、ゲイン５３０ａは、第１投影画像Ａの右端に向かうに従い徐々に０％に向かって減少し、減光する。同様に、図７（ｃ）の二点鎖線は、第２プロジェクタ１００ｂが投影する第２投影画像Ｂにおけるゲイン５３０ｂであり、非重畳対象領域ＢＬではゲイン５３０ｂは１００％である。一方、重畳対象領域ＢＲにおいて、ゲイン５３０ｂは、第２投影画像Ｂの左端に向かうに従い徐々に０％に向かって減少し、減光する。
【００４９】
投影制御装置２００は、重畳対象領域ＡＲと重畳対象領域ＢＲとを重畳させた際、２つの領域を足し合わせたゲインが１００％になるよう、重畳対象領域におけるゲインを調整する。図７（ｃ）の点線は、重畳対象領域ＡＲと重畳対象領域ＢＲとを足し合わせたゲイン５３０ｃを示す。なお、本実施の形態においては、投影制御装置２００がゲインの調整を直線的に行うことを想定しているが、これに限らず、重畳対象領域Ｒ内の明るさが非重畳対象領域ＡＬ及びＢＬの明るさと等しくなればどのように調整してもよい。
【００５０】
図７（ｄ）は、投影画像が投影された状態を模式的に示す図である。このように、第１プロジェクタ１００ａは、非重畳対象領域ＡＬと重畳対象領域ＡＲとを含む第１投影画像Ａを投影し、第２プロジェクタ１００ｂが非重畳対象領域ＢＬと重畳対象領域ＢＲとを含む第２投影画像Ｂを投影する。このようにすることで、第１プロジェクタ１００ａ及び第２プロジェクタ１００ｂは、重畳対象領域Ｒにおいて、シームレスでつなぎ目のない一つの投影画像を投影することができる。本実実施形態においては、図１に示したマルチ投影において、重畳対象領域Ｒに対し減光処理部１２３による減光処理が行われる。減光処理部１２３は、ＯＳＤ重畳信号ｓｉｇ０４を減光処理することにより生成した重畳部減光信号ｓｉｇ０５を変形処理部１２４に通知する。
【００５１】
変形処理部１２４は、変形の式に基づいて、重畳部減光信号ｓｉｇ０５に含まれる画像に変形処理を実行することにより変形後画像信号ｓｉｇ０６を生成し、生成した変形後画像信号ｓｉｇ０６を投影制御部１０５に通知する。投影制御部１０５は、受信した変形後画像信号ｓｉｇ０６に含まれる画像を投影部１０４に投影させる。
【００５２】
［投影制御装置２００の機能構成］
図８は、投影制御装置２００の機能構成を示す図である。投影制御装置２００は、ＲＡＭ２０２と、ＲＯＭ２０３と、操作部２０４と、表示部２０５と、ネットワークＩＦ２０６と、映像出力部２０７と、ＣＰＵ２１０とを有する。また、投影制御装置２００の各動作ブロックは、バス２０８によりバス接続されている。ＲＡＭ２０２は、ワークメモリとして一時的に制御プログラムやデータを記憶する。ＲＯＭ２０３は、ＣＰＵ２１０が実行するプログラムを記憶する。
【００５３】
操作部２０４は、ユーザの指示を受け付け、受け付けた指示の内容を示す指示信号をＣＰＵ２１０に通知する。操作部２０４は、例えば、マウス、キーボード、又はタッチパネルである。表示部２０５は、画像データを表示する。表示部２０５は、例えば液晶パネル、有機ＥＬパネルである。ネットワークＩＦ２０６は、外部機器とネットワークを介して通信する通信インターフェースである。本実施形態においては、投影制御装置２００は、ネットワークＩＦ１０８を介して一以上のプロジェクタ１００と接続されている。
【００５４】
映像出力部２０７は、プロジェクタ１００に対して画像を提供する画像提供手段である。映像出力部２０７は、第１投影画像Ａを第１プロジェクタ１００ａに提供し、かつ第２投影画像Ｂを第２プロジェクタ１００ｂに提供する。映像出力部２０７は、コンポジット端子、Ｓ映像端子、Ｄ端子、コンポーネント端子、アナログＲＧＢ端子、ＤＶＩ−Ｉ端子、ＨＤＭＩ端子等を含む。本実施の形態においては、映像出力部２０７がプロジェクタ１００に対して画像を提供することを想定しているが、映像出力部２０７は、ディスプレイ装置又は映像分配器のように、画像の入力インターフェースを有する任意の外部装置に画像を提供してもよい。
【００５５】
ＣＰＵ２１０は、ＲＯＭ２０３に記憶されたプログラムを実行することにより投影制御装置２００の各動作ブロックを制御する。また、ＣＰＵ２１０は、ＲＯＭ２０３に記憶されたプログラムを実行することにより、情報取得部２１１、及び投影制御部２１２として機能する。
【００５６】
情報取得部２１１は、各種情報を取得する情報取得手段である。情報取得部２１１は、ユーザが操作部２０４に入力した情報を取得する。また、情報取得部２１１は、ユーザが第１プロジェクタ１００ａ又は第２プロジェクタ１００ｂの操作部１０７に入力した情報を、ネットワークＩＦ２０６を介して取得してもよい。
【００５７】
例えば、情報取得部２１１は、重畳対象領域Ｒの位置を示す重畳位置情報を取得する。重畳位置情報は、投影画像における重畳対象領域Ｒの位置を示す情報であり、投影画像の辺のうち重畳対象領域Ｒが設定された辺を特定する情報と、重畳対象領域Ｒの幅を特定する情報とを含む。情報取得部２１１は、重畳対象領域Ｒが設定された辺として、左辺、右辺、上辺、又は底辺のいずれかを特定する情報を取得する。また、情報取得部２１１は、重畳対象領域Ｒの幅を特定する情報として、図３を参照しながら説明した重畳対象領域Ｒの幅ｅｂｗｉｄを示す情報を取得する。
【００５８】
情報取得部２１１は、例えば、第１投影画像Ａを投影する第１領域と第２投影画像Ｂを投影する第２領域との間の位置関係を示す関係情報を取得する。関係情報は、例えば第１領域と第２領域とを配置する配置パターンである。配置パターンは、投影制御装置２００が制御するプロジェクタ１００が２台であれば、２行１列、又は１行２列である。情報取得部２１１は、配置パターンと、配置パターンにおける第１領域の位置と第２領域の位置とを取得してもよい。具体的には、情報取得部２１１は、配置パターンとして１行２列を取得し、第１領域の位置が１行１列目であり、第２領域の位置が１行２列目であることを示す情報を取得する。
【００５９】
情報取得部２１１は、例えば、投影対象領域の端部を移動させる方向である移動方向を指定する移動方向情報を取得する。移動方向は、投影画像を一方の端部からもう一方の端部へ順次表示させていく方向であり、具体的には、投影画像の左から右、右から左、上から下、及び下から上である。
【００６０】
情報取得部２１１は、例えば、第１投影画像Ａ及び第２投影画像Ｂを切り替える際の効果の種別を示す種別情報を取得する。具体的には、情報取得部２１１は、種別情報としてワイプを示す情報、又はフェードイン情報を示す情報を取得する。情報取得部２１１が取得するワイプを示す情報には、端部を移動させる方向である移動方向を含んでいてもよい。例えば、情報取得部２１１は、ユーザが操作部２０４を操作して入力した、投影対象領域の端部を左から右へ移動させる演出効果である「ワイプレフト」を示す情報を取得する。また、情報取得部２１１は、ユーザが操作部２０４を操作して入力した「フェードイン」を示す情報を取得する。
【００６１】
投影制御部２１２は、第１プロジェクタ１００ａに第１投影画像Ａを投影させ、第２プロジェクタ１００ｂに第２投影画像Ｂを投影させる。例えば、投影制御部２１２は、第１プロジェクタ１００ａに、第１投影画像Ａの一端から他端に向けて投影対象領域の端部が移動するように第１投影画像Ａを投影させる。その後、投影制御部２１２は、第１プロジェクタ１００ａが第１投影画像Ａを重畳対象領域Ｒまで投影した時点で、第２プロジェクタ１００ｂに第２投影画像Ｂの投影を開始させる。具体的には、投影制御部２１２は、第１投影画像Ａにおける投影対象領域の端部の位置が、第１投影画像Ａにおける重畳位置情報が示す重畳対象領域Ｒの端部に達した時点で、第２プロジェクタ１００ｂに第２投影画像Ｂの投影を開始させる。
【００６２】
図４を参照しながら、投影制御部２１２が投影を開始させる処理について説明する。まず、投影制御部２１２は、第１プロジェクタ１００ａに、第１投影画像Ａの一端（非重畳対象領域７０１の左端）から他端（重畳対象領域７０３の右端）に向けて、破線で示す投影対象領域の端部が移動するように第１投影画像Ａを投影させる。次に、投影制御部２１２は、第１プロジェクタ１００ａが第１投影画像Ａを重畳対象領域Ｒの左端である端部Ｅまで投影した時点で、第２プロジェクタ１００ｂに第２投影画像Ｂの投影を開始させる。このようにすることで、投影制御部２１２は、第１プロジェクタ１００ａと第２プロジェクタ１００ｂとに、重畳対象領域Ｒにおいて同一の画像を投影させることができるので、演出効果の品質を向上させることができる。
【００６３】
投影制御部２１２は、関係情報が示す位置関係と、投影対象領域の端部を移動させる方向である移動方向との関係に基づいて、第２プロジェクタ１００ｂに第２投影画像Ｂの投影を開始させるタイミングを制御してもよい。具体的には、投影制御部２１２は、第１領域と第２領域とが並ぶ方向と移動方向とが直交する場合に、第１プロジェクタ１００ａが第１投影画像Ａの投影を開始するタイミングで第２プロジェクタ１００ｂに第２投影画像Ｂの投影を開始させる。より具体的には、投影制御部２１２は、第１領域と第２領域とが１行２列に配置され、移動方向が上から下、又は下から上であるとき、第１プロジェクタ１００ａが第１投影画像Ａの投影を開始するタイミングで第２プロジェクタ１００ｂに第２投影画像Ｂの投影を開始させる。また、投影制御部２１２は、第１領域と第２領域とが２行１列で配置され、移動方向が左から右、又は右から左であるとき、第１プロジェクタ１００ａが第１投影画像Ａの投影を開始するタイミングで第２プロジェクタｂに第２投影画像Ｂの投影を開始させる。
【００６４】
また、投影制御部２１２は、第１領域と第２領域とが並ぶ方向と移動方向とが一致する場合に、第１プロジェクタ１００ａが第１投影画像Ａを重畳対象領域Ｒまで投影した時点で、第２プロジェクタ１００ｂに第２投影画像Ｂの投影を開始させる。より具体的には、投影制御部２１２は、第１領域と第２領域とが１行２列に配置され、移動方向が左から右、又は右から左であるとき、第１プロジェクタ１００ａが第１投影画像Ａを重畳対象領域Ｒまで投影した時点で、第２プロジェクタ１００ｂに第２投影画像Ｂの投影を開始させる。また、投影制御部２１２は、第１領域と第２領域とが２行１列で配置され、移動方向が上から下、又は下から上であるとき、第１プロジェクタ１００ａが第１投影画像Ａを重畳対象領域Ｒまで投影した時点で、第２プロジェクタ１００ｂに第２投影画像Ｂの投影を開始させる。
【００６５】
図９は、ワイプを開始する開始タイミングについて説明するための図である。図９において、第１領域と第２領域とが並ぶ方向は横方向であり、配置パターンは１行２列である。図９において、非重畳対象領域１５０１は、第１プロジェクタ１００ａが投影する非重畳対象領域である。非重畳対象領域１５０２は、第２プロジェクタ１００ｂが投影する非重畳対象領域である。重畳対象領域１５０３は、第１プロジェクタ１００ａと第２プロジェクタ１００ｂとが投影する重畳対象領域Ｒである。
【００６６】
図９（ａ）から図９（ｄ）は、横方向（左から右）にワイプを実行した動作を模式的に示す図であり、図９（ｅ）から図９（ｈ）は、縦方向（上から下）にワイプを実行した動作を模式的に示す図である。図９（ａ）及び（ｅ）は、ワイプの実行前の時刻Ｔ０における画面の状態を示す。図９（ｂ）及び（ｆ）は、ワイプの実行中の時刻Ｔｉにおける画面の状態を示し、図９（ｃ）及び（ｇ）は、ワイプの実行中の時刻Ｔｉ＋１における画面の状態を示す。図９（ｄ）及び（ｈ）は、ワイプの実行後の時刻Ｔｎにおける画面の状態を示す。
【００６７】
図１０は、投影画像の投影を開始させる開始タイミングを示すタイムラインを模式的に示す図である。図１０（ａ）は、図９（ａ）から図９（ｄ）に対応する、並ぶ方向と移動方向とが直交する場合のワイプ処理のタイムラインを模式的に示す図である。図１０（ａ）に示すように、プロジェクタ１００ｂが投影画像の投影を開始するタイミングは、プロジェクタ１００ａが投影画像の投影を開始するタイミングと異なり、投影対象領域の端部が、重畳対象領域１５０３に到達した時点である時刻Ｔｉである。
【００６８】
図１０（ｂ）は、図９（ｅ）から図９（ｈ）に対応する、並ぶ方向と移動方向とが一致する場合のワイプ処理のタイムラインを模式的に示す図である。図１０（ｂ）に示すように、第２プロジェクタ１００ｂが投影画像の投影を開始させる開始タイミングは、第１プロジェクタ１００ａが投影画像の投影を開始させる開始タイミングと同じである。
【００６９】
このように、投影制御部２１２は、第１投影領域と第２投影領域との位置関係と、投影対象領域の端部の移動方向とに基づいて、第２プロジェクタ１００ｂに第２投影画像Ｂの投影を開始させる開始タイミングを制御する。このようにすることで、投影制御部２１２は、第１投影領域と第２投影領域との配置パターンや、投影対象領域の端部の移動方向によらず、演出効果の品質を同等レベルにすることができる。
【００７０】
投影制御部２１２は、種別情報が示す効果の種別に基づいて、第２プロジェクタ１００ｂに第２投影画像Ｂの投影を開始させるタイミングを制御してもよい。例えば、投影制御部２１２は、効果の種別がワイプである場合、第１プロジェクタ１００ａが第１投影画像Ａを重畳対象領域まで投影した時点で、第２プロジェクタ１００ｂに第２投影画像Ｂの投影を開始させる。また、投影制御部２１２は、効果の種別がフェードインである場合、第１プロジェクタ１００ａが第１投影画像Ａの投影を開始するタイミングで第２プロジェクタ１００ｂに第２投影画像Ｂの投影を開始させる。このようにすることで、投影制御部２１２は、切り替え演出効果に応じて、演出効果の品質を高めることができる。
【００７１】
投影制御部２１２は、第１プロジェクタ１００ａと第２プロジェクタ１００ｂとに対して、投影画像の投影を開始する時刻を通知することにより投影を開始させてもよい。例えば、投影制御部２１２は、第１プロジェクタ１００ａに対して、第１投影画像Ａの投影を開始する第１時刻を通知し、第２プロジェクタ１００ｂに対して、第２投影画像Ｂの投影を開始する第２時刻を通知する。具体的には、投影制御部２１２は、第１領域と第２領域とが並ぶ方向と移動方向とが直交する場合、第１時刻と等しい第２時刻を第２プロジェクタ１００ｂに通知する。また、投影制御部２１２は、第１領域と第２領域とが並ぶ方向と移動方向とが一致する場合、第１時刻に、第１プロジェクタ１００ａが第１投影画像Ａの投影を開始してから重畳対象領域Ｒにまで到達するまでに要する時間を加えた第２時刻を第２プロジェクタ１００ｂに通知する。このようにすることで、投影制御部２１２は、第１プロジェクタ１００ａ及び第２プロジェクタ１００ｂとの間での情報の伝送遅延があっても、適切なタイミングで投影画像を切り替えることができる。
【００７２】
投影制御部２１２は、第１時刻とともに、投影対象領域の端部を移動させる速度を第１プロジェクタ１００ａに通知し、第２時刻とともに速度を第２プロジェクタ１００ｂに通知してもよい。例えば、投影制御部２１２は、情報取得部２１１が取得した実行時間情報が示す処理時間により定まる速度を通知する。具体的には、投影制御部２１２は、表示画像における移動方向の解像度を処理時間で除算して定まる速度を通知する。このようにすることで、投影制御部２１２は、プロジェクタ１００にユーザの所望する速度で切り替え演出効果を実行させることができる。
【００７３】
以下、投影制御装置２００の投影制御部２１２が実行する各種処理について説明する。本実施形態においては、ユーザが投影制御装置２００の表示部２０５に表示された画面（以下、ＵＩ（User Interface）ということがある）を確認しながら操作部２０４に入力した操作に基づいて、投影制御部２１２が実行するものとして説明する。
【００７４】
［グルーピング設定］
図１１を参照しながらプロジェクタ１００のグルーピング処理について説明する。図１１は、グルーピング処理のシーケンス図である。グルーピング処理は、ユーザが投影制御装置２００の操作部２０４にグルーピング処理の実行を指示する操作を入力すると、投影制御部２１２が実行する。
【００７５】
ステップＳ８０１において、投影制御部２１２は、プロジェクタ１００のＩＰアドレスの検索処理を行う。具体的には、投影制御部２１２は、ネットワークＩＦ１０８を介してＩＰアドレス要求を示すブロードキャストパケットを送信する。ステップＳ８１１において、プロジェクタ１００ａは、ネットワークＩＦ１０８を介してブロードキャストパケットを受信すると、自装置のＩＰアドレスを含む情報を投影制御装置２００に送信する。ステップＳ８２１において、プロジェクタ１００ｂは、ネットワークＩＦ１０８を介してブロードキャストパケットを受信すると、自装置のＩＰアドレスを含む情報を投影制御装置２００に送信する。
【００７６】
投影制御部２１２は、図示しない３台のプロジェクタ１００を含めた５台のプロジェクタのＩＰアドレスを取得したものとする。５台のプロジェクタ１００は、プロジェクタ１００ａ（ＩＰアドレス：１９２．１６８．２５４．１）、プロジェクタ１００ｂ（ＩＰアドレス：１９２．１６８．２５４．２）、プロジェクタ１００ｃ（ＩＰアドレス：１９２．１６８．２５４．３）、プロジェクタ１００ｄ（ＩＰアドレス：１９２．１６８．２５４．４）、及びプロジェクタ１００ｅ（ＩＰアドレス：１９２．１６８．２５４．５）である。
【００７７】
ステップＳ８０２において、投影制御部２１２は、ユーザからのグループ情報の入力を受け付けるグルーピング設定画面を表示部２０５に表示させる。図１２は、グルーピング設定画面を模式的に示す図である。
【００７８】
図１２（ａ）は、グルーピング設定画面９００を模式的に示す図である。項目９０１は、プロジェクタ１００ａのＩＰアドレスを示す。チェックボックス９０２から９０５は、プロジェクタ１００のＩＰアドレスに基づく、ユーザがグルーピング対象のプロジェクタ１００を選択するためのチェックボックスである。ユーザは、プロジェクタ１００ａと同一グループに設定したいプロジェクタ１００に対応するチェックボックスを選択することができる。例えば、ユーザは、プロジェクタ１００ａ（１９２．１６８．２５４．１）とプロジェクタ１００ｂ（１９２．１６８．２５４．２）とを同一グループに設定したい場合、投影制御装置２００の操作部２０４にチェックボックス９０２を選択すればよい。なお、上記の括弧内の数字はＩＰアドレスを表す。
【００７９】
投影制御部２１２は、グルーピング設定画面９００と異なる、ユーザが直接グルーピング対象プロジェクタのＩＰアドレスを入力するためのグルーピング設定画面を表示部２０５に表示させてもよい。図１２（ｂ）は、グルーピング設定画面９１０を模式的に示す図である。テキストボックス９１１から９１３は、プロジェクタ１００ａと同一グループに設定したいプロジェクタ１００のＩＰアドレスを入力するためのチェックボックスである。ユーザは、テキストボックス９１１から９１３のいずれかに、プロジェクタ１００ａと同一グループに設定したいプロジェクタ１００のＩＰアドレスを入力することができる。なお、投影制御部２１２がグルーピング設定画面９１０を表示部２０５に表示させる場合、ＩＰアドレスを画面に表示する必要がないため、図１１のステップＳ８０１の処理は行わなくても構わない。
【００８０】
図１２（ａ）のテキストボックス９０６、及び図１２（ｂ）のテキストボックス９１４は、プロジェクタ１００ａが設定されているグループ名を入力するためのテキストボックスである。ユーザは、テキストボックス９０６又はテキストボックス９１４にグループ名を表す文字列を入力することができる。
【００８１】
ステップＳ８０３において、投影制御部２１２は、ユーザがグルーピング設定画面９００又はグルーピング設定画面９１０に表示された「決定」を選択する操作を操作部２０４に入力すると、ユーザが入力したグループ情報を取得し、ＲＡＭ２０２又はＲＯＭ２０３に記憶させる。
【００８２】
ステップ８０４において、投影制御部２１２は、ＲＡＭ２０２又はＲＯＭ２０３に記憶されたグループ情報に基づいて、ユーザから配置パターン設定の入力を受け付ける配置パターン設定画面を表示部２０５に表示させる。図１３は、配置パターン設定の入力を受け付ける配置パターン設定画面を模式的に示す図である。ここでは、グルーピングの結果、プロジェクタ１００ａ（１９２．１６８．２５４．１）とプロジェクタ１００ｂ（１９２．１６８．２５４．２）との２台が同一グループとして設定されたものとして説明を行う。
【００８３】
まず、投影制御部２１２は、ＲＡＭ２０２又はＲＯＭ２０３に記憶されたグループ情報に基づいて、配置パターン候補を表示部２０５に表示させる。図１３（ａ）は、配置パターン設定の入力を受け付ける第１の配置パターン設定画面１０００を模式的に示す図である。投影制御部２１２は、ＲＡＭ２０２又はＲＯＭ２０３に記憶されたグループ情報に基づいて、配置パターン候補１００１と配置パターン候補１００２とを第１の配置パターン設定画面１０００上に表示させる。配置パターン候補１００１は、１行２列の配置パターンを示し、配置パターン候補１００２は、２行１列の配置パターンを示す。ユーザは、配置パターン候補１００１又は配置パターン候補１００２のいずれかを選択することができる。投影制御部２１２は、ユーザが決定ボタンを押下すると、ユーザが選択した配置パターンを示す情報をＲＡＭ２０２又はＲＯＭ２０３に記憶させる。ここでは、ユーザが１行２列の配置パターン候補１００１を選択したものとする。
【００８４】
続いて、投影制御部２１２は、ＲＡＭ２０２又はＲＯＭ２０３に記憶された配置パターンを示す情報に基づいて、ユーザからの配置パターン設定の入力を受け付ける第２の配置パターン設定画面１０１０を表示部２０５に表示させる。第２の配置パターン設定画面１０１０は、ユーザが、プロジェクタ１００のＩＰアドレスと配置パターンとの関連付け、及びエッジブレンド幅の設定を入力するための画面である。
【００８５】
配置パターン設定画面１０１１に示すテキストボックス１０１１中の数字「１」と、数字「２」とは投影位置を表す。配置パターン表示部１０１２に示すように、数字「１」は左側の投影位置に対応し、数字「２」は右側の投影位置に対応する。また、テキストボックス１０１１の数列「１９２．１６８．２５４．１」と、数列「１９２．１６８．２５４．２」とは各投影位置を担当するプロジェクタ１００を特定するためのＩＰアドレスを示す。ユーザは、実際にプロジェクタ１００が配置された位置と配置パターンとが異なっている場合、テキストボックス１０１１のＩＰアドレスを書き換えることで修正できる。
【００８６】
テキストボックス１０１３は、重畳対象領域Ｒの幅を入力するためのテキストボックスである。ユーザは、テキストボックス１０１３に任意の数値を入力することができる。投影制御部２１２は、ユーザが操作部２０４に「決定」を選択する操作を入力すると、テキストボックス１０１３に入力された数値を取得し、重畳対象領域Ｒの幅として、ＲＡＭ２０２又はＲＯＭ２０３に記憶させる。
【００８７】
ステップＳ８０５において、投影制御部２１２は、同一グループに設定されたプロジェクタ１００に、配置パターン及び重畳対象領域Ｒの幅を含むグループ情報を送信する。ステップＳ８１２において、プロジェクタ１００ａのＣＰＵ１０１は、受信したグループ情報と、配置パターンと、重畳対象領域Ｒの幅とを、自装置のＲＡＭ１０２又はＲＯＭ１０３に記憶させる。ステップＳ８２２において、プロジェクタ１００ｂのＣＰＵ１０１は、受信したグループ情報と、配置パターンと、重畳対象領域Ｒの幅とを、自装置のＲＡＭ１０２又はＲＯＭ１０３に記憶させる。
【００８８】
［コンテンツのスケジュール登録処理］
次に、コンテンツを投影するスケジュールを登録する処理について説明する。図１４は、プロジェクタ１００の投影スケジュールを表示するタイムテーブル画面１６００を模式的に示す図である。タイムテーブル画面１６００は、投影制御部２１２がブロードキャストパケットを送信し、返信のあった全てのプロジェクタ１００の投影スケジュールを表示するＵＩである。
【００８９】
タイムテーブル画面１６００は、以下の要素から構成される。
・コンテンツの新規登録を行う「スケジュール新規登録」ボタン１６０１
・ユーザが選択したコンテンツの投影開始時刻、投影終了時刻、又は画面切り替わり効果を変更する「スケジュール編集」ボタン１６０２
・ユーザに選択されたコンテンツをスケジュールから削除する「スケジュール削除」ボタン１６０３
・タイムテーブルのタイムスケールを拡大する「拡大」ボタン１６０４
・タイムテーブルのタイムスケールを縮小する「縮小」ボタン１６０５
【００９０】
アイコン１６０６及びアイコン１６０７は、設定されたマルチ用コンテンツのコンテンツ情報を示すアイコンである。アイコン１６０８は、設定されたシングル用コンテンツのコンテンツ情報を示すアイコンである。アイコン１６０８は、プロジェクタ１００ｄが投影するように設定されており、投影開始時刻が「１０：００：００．００」であり、投影終了時刻が「１１：３０：００．００」であることを示している。
【００９１】
投影制御部２１２は、ユーザが「拡大」ボタン１６０４を選択する操作を入力すると、タイムスケール１６０９を拡大する。投影制御部２１２は、ユーザが「縮小」ボタン１６０５を選択する操作を入力すると、タイムスケール１６０９を縮小する。タイムスケールの拡大又は縮小の基準は、例えば、タイムスケール１６０９の左端である。投影制御部２１２は、ユーザが「拡大」ボタン１６０４を選択する操作を入力すると、タイムスケール１６０９を基準にタイムスケール１６０９を拡大する。なお、タイムスケール１６０９を拡大又は縮小する場合の基準となる時刻は、どの時刻でもかまわない。
【００９２】
図１５は、図１４に示したタイムテーブル画面１６００のタイムスケール１６０９を拡大した状態を示す図である。図１５においては、時刻「０９：００：００．００」を始点としてタイムスケールが拡大された状態を示している。アイコン１６０６’及びアイコン１６０７’は、図１４におけるアイコン１６０６及びアイコン１６０７に対応している。
【００９３】
図１５においては、切り替わり効果として「ワイプレフト」が選択されたことを想定している。「ワイプレフト」は投影開始時刻が異なる画面切り替わり効果であるので、アイコン１６０６’及びアイコン１６０７’の開始タイミングは異なっている。具体的には、図１５は、プロジェクタ１００ａがＤｏｇ．ｊｐｇの画像の投影を時刻「０９：００：００．００」から開始し、時刻「０９：００：０２．００」において、プロジェクタ１００ｂがＤｏｇ．ｊｐｇの画像の投影を開始することを示している。
【００９４】
図１６は、選択されたプロジェクタ１００又はグループの投影スケジュールを曜日毎に表示するタイムテーブル画面１６１０を模式的に示す図である。タイムテーブル画面１６１０は、タブ１１１２によって選択されたプロジェクタ又はグループの投影スケジュールを曜日毎に表示する画面である。
【００９５】
投影制御部２１２は、タイムテーブル画面１６００のように全プロジェクタ１００の投影スケジュールを同一画面に表示させてもよいし、タイムテーブル画面１６１０のように、プロジェクタ１００又はグループ毎に投影スケジュールを表示させてもよい。また、投影制御部２１２は、タイムテーブル画面１６００とタイムテーブル画面１６１０とを相互に切り替えられるようにしてもよい。説明に用いた画面は一例であり、投影制御部２１２が投影させるタイムテーブル画面は、どのようなレイアウトを用いてもよい。
【００９６】
図１７はスケジュール登録処理のフローチャートである。図１８及び図１９は、スケジュールを登録するための画面について説明するための図である。スケジュール登録処理は、ユーザが、図１４のスケジュール新規登録ボタン１６０１、又は図１６のスケジュール新規登録ボタン１６１１を選択する操作を行ったことに応じて、投影制御部２１２が実行する。
【００９７】
ステップＳ１２０１において、投影制御部２１２は、表示部２０５にスケジュール登録画面を表示させる。図１８（ａ）は、スケジュール登録画面１３００を模式的に示す図である。図１８（ａ）において、ラジオボタングループ１３０１は、ユーザが、シングル用コンテンツ又はマルチ用コンテンツを選択するためのコンテンツ選択部を示すラジオボタングループである。テキストボックス１３０２は、投影するコンテンツ名を入力するためのテキストボックスである。テキストボックス１３０３は、コンテンツの投影開始時刻を入力するためのテキストボックスである。テキストボックス１３０４は、コンテンツの投影終了時刻を入力するためのテキストボックスである。ドロップダウンリスト１３０５は、コンテンツの投影曜日を選択するためのドロップダウンリストである。
【００９８】
ドロップダウンリスト１３０６は、画面切り替わり効果の種別を選択するためのドロップダウンリストである。演出効果の種別は、例えばワイプレフト、ワイプダウン、フェードインである。なお、演出効果の種別は、切り替わり効果を実行しないこと（例えば「なし」）を含んでいてもよい。テキストボックス１３０７は、画面切り替わり効果の実行時間を入力するためのテキストボックスである。ユーザは、表示部２０５に表示されたスケジュール登録画面を確認しながら、ラジオボタンを選択し、上記各要素に対して入力することができる。
【００９９】
ステップＳ１２０２において、投影制御部２１２は、ユーザが選択し、又は入力した情報に基づく投影スケジュールを取得し、取得した投影スケジュールを示す情報をＲＡＭ２０２又はＲＯＭ２０３に記憶させる。ステップＳ１２０３において、投影制御部２１２は、投影スケジュールを示す情報に基づいてマルチ用コンテンツか否かを判定する。
【０１００】
ユーザは、上述した要素に対し、ラジオボタンを選択したり、任意の数値又は文字列を入力したりすることができる。ユーザは、シングル用コンテンツのスケジュール登録を行う場合、ラジオボタングループ１３０１の中の「シングル用コンテンツ」ラジオボタンを選択した上で、各入力フォームに入力を終えた状態で決定ボタン１３０８を押下すればよい。図１８（ａ）においては、ユーザが、シングル用コンテンツを選択するためのラジオボタンを選択し、コンテンツ名を「Ｃａｔ．ｊｐｇ」、投影開始時刻を「１０：００：００．００」、投影終了時刻を「１１：３０：００．００」と入力したことを想定している。
【０１０１】
投影制御部２１２は、シングル用コンテンツであると判定すると（ステップＳ１２０３でＮｏ）、ステップＳ１２０４において、単一プロジェクタ１００のスケジュール登録先を設定する。具体的には、投影制御部２１２は、単一プロジェクタ１００のスケジュール登録先プロジェクタ設定画面（以下、設定画面１３１０という）を表示部２０５に表示させる。
【０１０２】
図１８（ｂ）は、シングル用コンテンツを選択した場合の設定画面１３１０を模式的に示す図である。シングル用コンテンツを選択した場合の設定画面１３１０は、スケジュール登録先プロジェクタ１００を選択するためのチェックリスト１３１１から１３１５を含んで構成されている。図１８（ｂ）においては、投影制御部２１２が、ＩＰアドレスを取得したすべてのプロジェクタ１００を表示した状態を示している。図１８（ｂ）においては、ユーザが、グループ外のプロジェクタ１００ｄを選択したことを想定している。
【０１０３】
なお、投影制御部２１２は、投影制御装置２００と通信可能な全てのプロジェクタ１００を設定画面１３１０に表示してもよいし、同一グループに設定されたプロジェクタ１００のみを表示してもよい。ユーザは、チェックリスト内のチェックボックスを選択することにより、スケジュールを登録する対象となるプロジェクタ１００を選択することができる。
【０１０４】
ステップＳ１２０８において、投影制御部２１２は、ユーザが入力したコンテンツ名を含む情報を表示したタイムテーブル画面を表示部２０５に表示する。ステップＳ１２０９において、投影制御部２１２は、ネットワークＩＦ１０８を介して、スケジュール登録先として設定されたプロジェクタ１００（ここではプロジェクタ１００ｄ）にコンテンツ情報を送信する。コンテンツ情報は、コンテンツ名、コンテンツ投影開始時刻、コンテンツ投影終了時刻、コンテンツ投影曜日、画面切り替わり効果の種別、及び画面切り替わり効果の実行時間を含む。
【０１０５】
コンテンツ情報を受信したプロジェクタ１００ｄは、自装置のＲＡＭ１０２又はＲＯＭ１０３に、受信したコンテンツ情報を記憶させる。なお、プロジェクタ１００ｄのＣＰＵ１０１は、コンテンツ情報に示されるコンテンツが、自装置のコンテンツ保持部１１０に記憶されていない場合、コンテンツ要求指示を投影制御装置２００に送信してもよい。
【０１０６】
投影制御装置２００の投影制御部２１２は、コンテンツ要求指示を受信すると、自装置のＲＡＭ２０２又はＲＯＭ２０３にコンテンツ要求指示に示されるコンテンツが記憶されているか否かを判定する。投影制御部２１２は、コンテンツ要求指示に示されるコンテンツがＲＡＭ２０２又はＲＯＭ２０３に記憶されている場合、該当コンテンツをプロジェクタ１００ｄに送信する。投影制御部２１２は、コンテンツ要求指示に示されるコンテンツがＲＡＭ２０２又はＲＯＭ２０３に記憶されていない場合、該当コンテンツのアップロードを促す画像又はテキストを表示部２０５に表示させてもよい。
【０１０７】
次に、マルチ用コンテンツを登録する場合について説明する。図１９（ａ）は、スケジュール登録画面１４００を模式的に示す図である。ユーザは、マルチ用コンテンツのスケジュール登録を行う場合、ラジオボタングループ１３０１の中の「マルチ用コンテンツ」ラジオボタンを選択した上で、各入力フォームに入力を終えた状態で決定ボタン１３０８を押下すればよい。図１９（ａ）においては、ユーザが、マルチ用コンテンツを選択するためのラジオボタンを選択し、コンテンツ名を「Ｄｏｇ．ｊｐｇ」、投影開始時刻を「０９：００：００．００」、投影終了時刻を「１２：００：００．００」、投影曜日を「水曜日」と入力されたものとする。また、切り替わり効果を「フェードイン」、切り替わり効果時間を「５．００」秒と入力したことを想定している。
【０１０８】
投影制御部２１２は、マルチ用コンテンツであると判定すると（ステップＳ１２０３でＹｅｓ）、ステップＳ１２０５において、投影制御部２１２は、画面切り替わり効果の種別が、プロジェクタ１００毎に投影開始時刻が異なる画面切り替わり効果であるか否かを判定する。
【０１０９】
投影開始時刻が異なる画面切り替わり効果とは、例えば「ワイプレフト」のように、各プロジェクタ１００の投影開始時刻を異ならせないと滑らかな画面切り替えが実現できない効果である。一方、投影開始時刻が同じ画面切り替わり効果とは、例えば「フェードイン」のように、画面切り替わり効果が画面全体に均等に実行されるため、プロジェクタ１００毎に投影開始時刻を異ならせる必要がない効果である。投影制御部２１２は、例えば切り替わり効果が「ワイプレフト」である場合、投影開始時刻が異なる画面切り替わり効果であると判定し、切り替わり効果が「フェードイン」である場合、投影開始時刻が同じ画面切り替わり効果であると判定する。
【０１１０】
投影制御部２１２は、投影開始時刻が異なる画面切り替わり効果ではないと判定すると（ステップＳ１２０５でＮｏ）、ステップＳ１２０６において、複数プロジェクタ１００のスケジュール登録先を設定する。具体的には、投影制御部２１２は、複数プロジェクタ１００のスケジュール登録先プロジェクタ設定画面を表示部２０５に表示させる。
【０１１１】
図１９（ｂ）は、マルチ用コンテンツを登録する場合のスケジュール登録先プロジェクタ設定画面１４１０を模式的に示す図である。スケジュール登録先プロジェクタ設定画面１４１０は、スケジュール登録先グループを選択するためのドロップダウンリスト１４１１と、選択されたグループに含まれるプロジェクタ名を表示するテキストエリア１４１２とから構成される。図１９（ｂ）においては、ユーザがドロップダウンリスト１４１１において「グループＡ」を選択したことを想定している。また、「グループＡ」はマスタープロジェクタ１００ａとプロジェクタ１００ｂから構成されるグループであるので、テキストエリア１４１２には、「グループＡ」に含まれるプロジェクタ１００ａ及び１００ｂが表示されている。
【０１１２】
投影制御部２１２は、複数プロジェクタ１００のスケジュール登録先として、ユーザが選択したグループに含まれるプロジェクタ１００を設定する。ステップＳ１２０８において、投影制御部２１２は、ユーザが入力したコンテンツ名を含む情報を表示したタイムテーブル画面を表示部２０５に表示する。
【０１１３】
ステップＳ１２０９において、投影制御部２１２は、スケジュール登録先として設定された複数のプロジェクタ１００にネットワークＩＦ１０８を介してコンテンツ情報を送信する。なお、コンテンツは、各プロジェクタ１００のコンテンツ保持部１１０に予め記憶されていてもよく、投影制御部２１２がコンテンツを切り出して部分コンテンツを生成し、生成した部分コンテンツを対応するプロジェクタ１００に送信してもよい。
【０１１４】
投影制御部２１２は、投影開始時刻が異なる画面切り替わり効果であると判定すると（ステップＳ１２０５でＹｅｓ）、ステップＳ１２０７において、各プロジェクタ１００の投影開始時刻を特定する。以下、投影制御部２１２が投影を開始させる投影開始時刻を算出する方法について説明する。
【０１１５】
［投影開始時刻を算出する方法］
ここでは、マルチ用コンテンツの画素数は「３２００画素×１７６０画素」であり、プロジェクタ１００の投影画素数は「１９２０画素×１２００画素」であり、重畳対象領域の幅は「６４０画素」であり、画面切り替わり効果実行時間は「５秒」であるものとして説明する。また、コンテンツの投影開始時刻は「０９：００：００．００」である。コンテンツの投影終了時刻は「１２：００：００．００」であるものとする。
【０１１６】
画面切り替わり効果の種別が「ワイプレフト」である場合、左端のプロジェクタ１００の投影開始時刻は、コンテンツ投影開始時刻と同時刻である。例えば、配置パターンが１行２列である場合、左側のプロジェクタの投影開始時刻は「０９：００：００．００」であり、右側のプロジェクタの投影開始時刻は「０９：００：０２．００」である。
【０１１７】
左からｉ番目のプロジェクタ１００ｉの投影開始時刻ＴＬｉは、コンテンツの投影開始時刻をＴ０、画面切り替わり効果実行時間をｔ、プロジェクタの投影画像の横幅をｗ、重畳対象領域の幅をｅｂｗｉｄ、マルチ用コンテンツの横幅をＷｗとして、式（１）で表される。
ＴＬｉ＝Ｔ０＋ｔ×｛（ｉ−１）×（ｗ−ｅｂｗｉｄ）／Ｗｗ｝  …式（１）
【０１１８】
また、各プロジェクタの画面切り替わり効果実行時間は、式（２）で表される。
各プロジェクタの画面切り替わり効果実行時間＝ｔ×ｗ／Ｗｗ  …式（２）
【０１１９】
画面切り替わり効果の種別が、投影対象領域の端部が右から左へ移動する「ワイプライト」である場合、右端のプロジェクタの投影開始時刻は、コンテンツ投影開始時刻と同時刻である。右からｉ番目のプロジェクタの投影開始時刻ＴＲｉは、式（３）で表される。
ＴＲｉ＝Ｔ０＋ｔ×｛（ｉ−１）×（ｗ−ｅｂｗｉｄ）／Ｗｗ｝  …式（３）
なお、各プロジェクタの画面切り替わり効果実行時間は、式（２）で表される。
【０１２０】
画面切り替わり効果の種別が、投影対象領域の端部が上から下へ移動する「ワイプダウン」である場合、上端のプロジェクタの投影開始時刻は、コンテンツ投影開始時刻と同時刻である。上からｉ番目のプロジェクタの投影開始時刻ＴＴｉは、プロジェクタの投影画素数の縦幅をｈ、マルチ用コンテンツの縦幅をＷｈとして、式（４）で表される。
ＴＴｉ＝Ｔ０＋ｔ×｛（ｉ−１）×（ｈ−ｅｂｗｉｄ）／Ｗｈ｝  …式（４）
なお、各プロジェクタの画面切り替わり効果実行時間は、式（５）で表される。
各プロジェクタの画面切り替わり効果実行時間＝ｔ×ｈ／Ｗｈ  …式（５）
【０１２１】
画面切り替わり効果の種別が、投影対象領域の端部が下から上へ移動する「ワイプアップ」である場合、下端のプロジェクタの投影開始時刻は、コンテンツ投影開始時刻と同時刻である。下からｉ番目のプロジェクタの投影開始時刻ＴＢｉは、プロジェクタの投影画像の縦幅をｈ、マルチ用コンテンツの縦幅をＷｈとして、式（６）で表される。
ＴＢｉ＝Ｔ０＋ｔ×｛（ｉ−１）×（ｈ−ｅｂｗｉｄ）／Ｗｈ｝  …式（６）
なお、各プロジェクタの画面切り替わり効果実行時間は、式（５）で表される。
投影制御部２１２は、上記の式を用いて、各プロジェクタ１００の投影開始時刻、及び画面切り替わり効果実行時間を算出し、ＲＡＭ２０２又はＲＯＭ２０３に記憶させる。
【０１２２】
投影制御部２１２は、各プロジェクタ１００の投影開始時刻及び画面切り替わり効果実行時間を算出すると、投影開始時刻及び画面切り替わり効果実行時間をＲＡＭ２０２又はＲＯＭ２０３に記憶させる。そして、ステップＳ１２０６において、投影制御部２１２は、複数プロジェクタ１００のスケジュール登録先を設定する。ステップＳ１２０６の説明は上述したので省略する。
【０１２３】
ステップＳ１２０８において、投影制御部２１２は、ユーザが入力したコンテンツ名を含む情報を表示したタイムテーブル画面を表示部２０５に表示する。ステップＳ１２０９において、投影制御部２１２は、スケジュール登録先として設定された複数のプロジェクタ１００にネットワークＩＦ１０８を介してコンテンツ情報を送信する。以上の処理により、投影制御装置２００は、投影制御システムＳが備える複数のプロジェクタ１００の投影スケジュールを設定することができる。各プロジェクタ１００の投影制御部１０５は、時刻管理部１１１から取得した時刻に基づいて、ＲＡＭ１０３に記憶されたコンテンツ情報に示される時刻にコンテンツを投影部１０４に投影させる。
【０１２４】
［第１の実施形態に係る投影制御装置２００の効果］
以上説明したように、投影制御装置２００の情報取得部２１１は、第１投影画像Ａを第１プロジェクタ１００ａに提供し、かつ第２投影画像を第２プロジェクタ１００ｂに提供する。投影制御部２１２は、まず、第１プロジェクタ１００ａに、一端から他端に向けて投影対象領域の端部が移動するように第１投影画像Ａを投影させる。そして、投影制御部２１２は、第１プロジェクタ１００ａが第１投影画像Ａを重畳対象領域Ｒまで投影した時点で、第２プロジェクタ１００ｂに第２投影画像Ｂの投影を開始させる。このようにすることで、重畳対象領域Ｒにおいて、第１プロジェクタ１００ａと第２プロジェクタ１００ｂとが、それぞれ異なる画像を投影しないので、演出効果の品質を向上させることができる。
【０１２５】
＜第２の実施形態＞
第１の実施形態においては、投影制御装置２００が第１プロジェクタ１００ａ及び第２プロジェクタ１００ｂを制御したが、第１プロジェクタ１００ａ及び第２プロジェクタ１００ｂを制御する方法はこれに限らない。投影制御装置２００を用いる代わりに、投影制御装置２００と同様の機能を有するプロジェクタ１００が、他のプロジェクタ１００を制御してもよい。以下の説明では、便宜上、投影制御装置２００の機能を有するプロジェクタ１００をマスタープロジェクタ１００ａ、マスタープロジェクタ１００ａと通信可能な他のプロジェクタ１００をスレーブプロジェクタ１００ｂとする。以下、第１の実施形態と異なる点について説明し、同様の点については説明を省略する。
【０１２６】
マスタープロジェクタ１００ａの投影部１０４は、第１投影画像Ａを投影する。マスタープロジェクタ１００ａは、第１投影画像Ａと同時にマルチ投影する第２投影画像Ｂを他のスレーブプロジェクタ１００ｂに送信する。投影制御部１０５は、第１投影画像Ａの一端から他端に向けて投影対象領域の端部を移動しながら第１投影画像Ａを投影させ、投影部１０４が第１投影画像Ａを重畳対象領域Ｒまで投影した時点で、他のスレーブプロジェクタ１００ｂに第２投影画像Ｂの投影を開始させる。このようにすることで、マスタープロジェクタ１００ａの投影制御部１０５は、重畳対象領域Ｒにおいて、異なる画像を投影させることなく、切り替え演出効果の品質を向上することができる。
【０１２７】
マスタープロジェクタ１００ａの投影制御部１０５は、投影部１０４に各種表示画面を投影させる。各種表示画面は、例えば、グループ情報の入力を受け付けるグルーピング設定画面、配置パターン設定の入力を受け付ける配置パターン設定画面、投影スケジュールを表示するタイムテーブル、スケジュール登録画面、又はスケジュール登録先プロジェクタ設定画面である。ユーザは、投影された各種表示画面を確認しながら、マスタープロジェクタ１００ａの操作部１０７を操作することにより、各種設定値を入力することができる。
【０１２８】
マスタープロジェクタ１００ａは、ユーザが入力した各種設定値に基づいてコンテンツ情報を取得する。マスタープロジェクタ１００ａは、取得したコンテンツ情報を、コンテンツ情報が示すスレーブプロジェクタ１００ｂに送信する。コンテンツ情報を受信したスレーブプロジェクタ１００ｂは、自装置のＲＡＭ１０２又はＲＯＭ１０３に受信したコンテンツ情報を記憶させる。なお、スレーブプロジェクタ１００ｂのＣＰＵ１０１は、コンテンツ情報に示されるコンテンツが、自装置のコンテンツ保持部１１０に記憶されていない場合、コンテンツ要求指示をマスタープロジェクタ１００ａに送信してもよい。
【０１２９】
マスタープロジェクタ１００ａのＣＰＵ１０１は、コンテンツ要求指示を受信すると、自装置のコンテンツ保持部１１０にコンテンツ要求指示に示されるコンテンツが記憶されているか否かを判定する。ＣＰＵ１０１は、コンテンツ要求指示に示されるコンテンツがコンテンツ保持部１１０に記憶されている場合、該当コンテンツをスレーブプロジェクタ１００ｂに送信する。コンテンツ要求指示に示されるコンテンツがコンテンツ保持部１１０に記憶されていない場合、投影制御部１０５は、該当コンテンツのアップロードを促す画像又はテキストを投影部１０４に投影させる。
【０１３０】
（変形例）
以上の説明においては、マスタープロジェクタ１００ａの投影制御部１０５が各種設定画面を投影部１０４に投影させた。これに限らず、図示しないコンピュータを用いて、コンピュータをＷｅｂクライアント、マスタープロジェクタ１００ａをＷｅｂサーバとして、コンピュータのＷｅｂブラウザ上でマスタープロジェクタ１００ａに各種設定値を入力できるようにしてもよい。なお、以降の説明では、コンピュータに表示されるＷｅｂブラウザ画面のことをＷｅｂＵＩという。
【０１３１】
コンピュータは、ＣＰＵ、ＲＡＭ、ＲＯＭ、ネットワークＩＦ、表示部、及び操作部を有する。コンピュータが有するＣＰＵ、ＲＡＭ、ＲＯＭ、ネットワークＩＦ、表示部、及び操作部は、投影制御装置２００が有する同名の機能構成部と同様なので説明を省略する。
【０１３２】
ＷｅｂＵＩをコンピュータの表示部に表示させるために、コンピュータのＣＰＵは、ネットワークＩＦを介して、マスタープロジェクタ１００ａに対してＨＴＴＰリクエストを送る。マスタープロジェクタ１００ａのＣＰＵ１０１はネットワークＩＦ１０８によって受信したＨＴＴＰリクエストを解釈し、対応する処理を行った後にＨＴＴＰレスポンスをコンピュータに対して送信する。
【０１３３】
ユーザは、コンピュータの表示部に表示されたＷｅｂＵＩを確認しながら、操作部を操作することでマスタープロジェクタ１００ａに各種設定値を入力することができる。なお、ＷｅｂＵＩは、例えば、第１の実施形態において説明した各種画面と同等の画面である。マスタープロジェクタ１００ａの投影制御部１０５は、マスタープロジェクタ１００ａが提供するＷｅｂＵＩの所定のＷｅｂページに対して、ユーザからアクセスがあると、各種処理を実行する。各種処理は、第１の実施形態において説明したグルーピング処理、又はコンテンツのスケジュール登録処理である。
【０１３４】
［第２の実施形態に係るマスタープロジェクタ１００ａの効果］
以上説明したように、マスタープロジェクタ１００ａの投影部１０４は第１投影画像Ａを投影し、ネットワークＩＦ１０８は、第１投影画像Ａに対応する第２投影画像Ｂを他のプロジェクタ１００に送信する。そして、投影制御部１０５は、第１投影画像Ａの一端から他端に向けて投影対象領域の端部を移動しながら第１投影画像Ａを投影させ、投影部１０４が第１投影画像Ａを重畳対象領域Ｒまで投影した時点で、他のプロジェクタ１００に第２投影画像Ｂの投影を開始させる。このようにすることで、マスタープロジェクタ１００ａの投影制御部１０５は、外部にコンピュータなどの投影制御装置が接続されていない場合であっても、重畳対象領域Ｒにおいて演出効果の品質を向上させることができる。
【０１３５】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【０１３６】
１００  プロジェクタ
１０４  投影部
１０５  投影制御部
１０８  ネットワークＩＦ
２００  投影制御装置
２０７  映像出力部
２１１  情報取得部
２１２  投影制御部
【図１】
2019090857.tif 000003
【図２】
2019090857.tif 000004
【図３】
2019090857.tif 000005
【図４】
2019090857.tif 000006
【図５】
2019090857.tif 000007
【図６】
2019090857.tif 000008
【図７】
2019090857.tif 000009
【図８】
2019090857.tif 000010
【図９】
2019090857.tif 000011
【図１０】
2019090857.tif 000012
【図１１】
2019090857.tif 000013
【図１２】
2019090857.tif 000014
【図１３】
2019090857.tif 000015
【図１４】
2019090857.tif 000016
【図１５】
2019090857.tif 000017
【図１６】
2019090857.tif 000018
【図１７】
2019090857.tif 000019
【図１８】
2019090857.tif 000020
【図１９】
2019090857.tif 000021